(57)【要約】【課題】本考案は、チップモジュールが回路基板に安定に電気接続されることを確保できる電気コネクタを提供することを目的とする。【解決手段】本考案のチップモジュールを電気接続する電気コネクタは、絶縁性本体と、絶縁性本体に挿入される複数の導電端子と、複数の取付孔が形成されて絶縁性本体を装入する補強部材と、補強部材に装着される押圧部材と、補強部材に装着されるレバーと、実装孔が形成される複数対のガスケットとを備える。前記各対のガスケットが補強部材の上下両側から一つの取付孔に装着される。該一対のガスケットの実装孔と補強部材の取付孔とが対応する。【選択図】図１
0003146843.tif 000002
【実用新案登録請求の範囲】
【請求項１】
チップモジュールを電気接続する電気コネクタであって、
前記絶縁性本体と、
絶縁性本体に挿入される複数の導電端子と、
複数の取付孔が形成され、前記絶縁性本体を装入する補強部材と、
前記補強部材に装着される押圧部材と、
前記補強部材に装着されるレバーと、
実装孔が形成される複数対のガスケットと、
を備え、前記各対のガスケットが前記補強部材の上下両側から一つの前記取付孔に装着され、該一対のガスケットの前記実装孔と前記補強部材の前記取付孔とが対応することを特徴とする電気コネクタ。
【請求項２】
前記同じ取付孔に装入される前記一対のガスケットは構造が相同する第１、第２ガスケットであり、該第１、第２ガスケットが互いに係合することを特徴とする請求項１に記載の電気コネクタ。
【請求項３】
前記各ガスケットが基部と基部から突出する複数の歯状部と歯状部の間に形成される歯溝とを有し、前記第１、第２ガスケットの前記歯状部が前記取付孔に伸入し、前記第１ガスケットの前記歯状部が前記第２ガスケットの前記歯溝に嵌合されることを特徴とする請求項２に記載の電気コネクタ。
【請求項４】
前記各ガスケットが前記歯状部に設けられる鉤状部と前記歯溝に形成されるスロットとを有し、前記第１ガスケットの前記鉤状部が前記第２ガスケットの前記スロットと係合することを特徴とする請求項３に記載の電気コネクタ。
【請求項５】
前記第２ガスケットが、前記第１ガスケットの配置方向から直角に回転した後配置されることを特徴とする請求項２に記載の電気コネクタ。
【請求項６】
前記同じ取付孔に装入される前記第１、第２ガスケットは、前記補強部材の上下側に配置され、前記補強部材を挟めることを特徴とする請求項２に記載の電気コネクタ。
【請求項７】
前記補強部材には、前記絶縁性本体を収納するための窓部が形成されることを特徴とする請求項１に記載の電気コネクタ。
【請求項８】
前記押圧部材が、前記補強部材の一端に実装され、前記レバーが前記補強部材の前記一端と対向する他端に装着されることを特徴とする請求項１に記載の電気コネクタ。
【考案の詳細な説明】
【技術分野】
【０００１】
本考案は、ＣＰＵが配線基板に電気接続される電気コネクタに関するものである。
【背景技術】
【０００２】
従来技術において、ＣＰＵのようなチップモジュールが配線基板に電気接続される電気コネクタは、補強部材と、絶縁性本体と、押圧部材と、レバーと、複数の固定部材とを備える。補強部材の中央には、開口が形成される。絶縁性本体には、周壁から凹まれる導電部が設けられる。補強部材の四つの角部には、四つの取付孔が形成される。前記固定部材は、部分に対応する取付孔に装入され、部分に補強部材と配線基板の間に配置される。複数のネジ体が取付孔と固定部材とを貫通して配線基板に固定される。前記補強部材は、固定部材によって配線基板から隔てられ、補強部材を取り外しできる。
【特許文献１】中国特許第２，７５７，３５４Ｙ号明細書
【考案の開示】
【考案が解決しようとする課題】
【０００３】
前記補強部材が配線基板にしっかりと固着できない。そのため補強部材と配線基板の間の連接は不安定になる。
【０００４】
そこで本考案の目的は、上述の従来技術の問題に鑑み、チップモジュールが回路基板に安定に電気接続されることを確保できる電気コネクタを提供することにある。
【課題を解決するための手段】
【０００５】
本考案のチップモジュールを電気接続する電気コネクタは、絶縁性本体と、絶縁性本体に挿入される複数の導電端子と、複数の取付孔が形成されて絶縁性本体を装入する補強部材と、補強部材に装着される押圧部材と、補強部材に装着されるレバーと、実装孔が形成される複数対のガスケットとを備える。前記各対のガスケットが補強部材の上下両側から一つの取付孔に装着される。該一対のガスケットの一対の実装孔と補強部材の取付孔とが対応する。
【考案の効果】
【０００６】
従来の技術に比較して本考案は以下の効果を有する。各取付孔に二つのガスケットが装入される。補強部材が回路基板に実装される時、ガスケットの一対の実装孔と補強部材の取付孔を貫通するネジ体と補強部材の間の連接がしっかりしている。これにより、補強部材が回路基板にしっかりと固着され、チップモジュールが回路基板に安定に電気接続される。
【考案を実施するための最良の形態】
【０００７】
以下、この考案の実施の形態を添付の図を参照して説明する。
【０００８】
図１〜図２を参照すると、チップモジュール（図示せず）を回路基板２０に保持するための電気コネクタ１０は、絶縁性本体１１と、該絶縁性本体１１を装着する補強部材１２と、前記絶縁性本体１１に収納される複数の導電端子１３と、前記補強部材１２に回転可能に実装される押圧部材１４と、前記補強部材１２に実装されるレバー１５と、前記補強部材１２に取り付けられる複数のガスケット１６とを備える。
【０００９】
前記絶縁性本体１１は、両対の側壁１１１と、前記両対の側壁１１１から包囲される導電部１１０とを備える。前記複数の導電端子１３は前記導電部１１０に挿入される。
【００１０】
前記補強部材１２は金属片から製造される。該補強部材１２は、第１端部１２１と第２端部１２２とを含む主体部１２５と、主体部１２５の第１端部１２１から上向きに延在する係合部１２６と、補強部材１２の四つの角部に形成される四つの取付孔１２３と、主体部１２５の一側から延在する係止部１２４とを有する。係合部１２６には一対の係合孔１２６１が形成される。
【００１１】
押圧部材１４は、前端１４１と後端１４０と一対の側端１４３とを備える。前記押圧部材１４の前端１４１には押圧部１４１０が設けられる。前記押圧部材１４の後端１４０には一対の鉤部１４００が設けられる。押圧部材１４の中央には、前記前端１４１と後端１４０と側端１４３に包囲される開口１４４が形成される。前記押圧部材１４の側端１４３には開口１４４に向かって突出する凸状部片１４２が設けられる。
【００１２】
Ｌ字状のレバー１５は、主体部１５０と、該主体部１５０の一端から折り曲げられる操作部１５２と、前記主体部１５０の中部から折り曲げられる折曲部１５１とを有する。
【００１３】
図３及び図４を参照すると、ガスケット１６は、基部１６０と、該基部１６０の中央に形成される実装孔１６０２と、基部１６０から突出する一対の歯状部１６２と、一対の歯状部１６２の間に形成される歯溝１６９とを含む。前記歯状部１６２には鉤状部１６２０が設けられる。前記歯溝１６９にはスロット１６８が形成される。
【００１４】
図２に示すように、該電気コネクタ１０を取り付ける時、先ず、前記導電端子１３が挿入される絶縁性本体１１は前記補強部材１２の窓部１２０に収納される。次に、前記レバー１５が前記補強部材１２に装着される。前記レバー１５の主体部１５０が補強部材１２の保持部１２２１に保持される。前記押圧部材１４が前記補強部材１２に取り付けられる。前記押圧部材１４の押圧部１４１０が前記レバー１５の折曲部１５１と係合する。前記押圧部材１４の鉤部１４００が前記補強部材１２の係合孔１２６１に嵌め込まれる。前記補強部材１４の凸状部片１４２が前記絶縁性本体１１に当接する。
【００１５】
図１〜図９に示すように、前記一対のガスケット１６が各取付孔１２３の上、下側に装着される。該一対のガスケット１６が第１、第２ガスケット１６である。第１、第２ガスケット１６の歯状部１６２が前記取付孔１２３に嵌入される。第２ガスケット１６が、第１ガスケット１６の配置方向から直角に回転した後配置される。これにより、前記第１ガスケット１６の歯状部１６２が、第２ガスケット１６の歯溝１６９に嵌合され、第１ガスケット１６の歯状部１６２の鉤状部１６２０が、第２ガスケット１６のスロット１６８と係合する。一体になる電気コネクタ１０は、ネジ１７が実装孔１６０２と前記取付孔１２３とに貫通して回路基板２０に挿入されることによって、該回路基板２０に取り付けられる。前記一対のガスケット１６の中の一つのガスケット１６が前記補強部材１２の下表面と前記回路基板２０の間に配置される。これにより、前記回路基板２０にショートし難くなる。又、電気コネクタ１０を取り外し易い。
【００１６】
以上、本考案について最良の実施の形態を図を参照し詳細に説明したが、実施形態はあくまでも例示的なものであり、これらに限定されるものではない。また前記の説明、本考案に基づきなし得る細部の修正或いは変更などは、いずれも本考案の実用新案登録請求の範囲に属するものである。
【図面の簡単な説明】
【００１７】
【図１】本考案の電気コネクタの分解斜視図である。
【図２】図１に示す電気コネクタが回路基板に取り付けられていない時の斜視図である。
【図３】図１に示すガスケットの斜視図である。
【図４】図３に示すガスケットの別の斜視図である。
【図５】図１に示すガスケットが補強部材の二つの取付孔に装着される斜視図である。
【図６】図５のVI―VI線で切断した断面図である。
【図７】図６に示す標号Ｘの拡大図である。
【図８】図２に示す電気コネクタが回路基板に取り付けられた組立図である。
【図９】図８の側面図である。
【符号の説明】
【００１８】
１０      電気コネクタ
１１      絶縁性本体
１１０    導電部
１１１    側壁
１２      補強部材
１２０    窓部
１２１    第１端部
１２２    第２端部
１２２１  保持部
１２３    取付孔
１２４    係止部
１２５    主体部
１２６    係合部
１２６１  係合孔
１３      導電端子
１４      押圧部材
１４０    後端
１４００  鉤部
１４１    前端
１４１０  押圧部
１４２    凸状部片
１４３    側端
１４４    開口
１５      レバー
１５０    主体部
１５１    折曲部
１５２    操作部
１６      ガスケット
１６０    基部
１６０２  実装孔
１６２    歯状部
１６２０  鉤状部
１６６    底面
１６８    スロット
１６９    歯溝
１７      ネジ
２０      回路基板
【図１】
0003146843.tif 000003
【図２】
0003146843.tif 000004
【図３】
0003146843.tif 000005
【図４】
0003146843.tif 000006
【図５】
0003146843.tif 000007
【図６】
0003146843.tif 000008
【図７】
0003146843.tif 000009
【図８】
0003146843.tif 000010
【図９】
0003146843.tif 000011